(57)【要約】【課題】  本発明は、地震等によって一方の建物および他方の建物が左右方向に大きく揺れ動いても、その揺れ動きに効果的に追従することができるとともに、施工箇所の外観上の美観が損なわれない渡り通路の目地装置を得るにある。【解決手段】  一方の建物の外壁面より外方へ突出するように形成された通路の側端部に形成された外側壁と、この外側壁に左右方向にスライド移動可能に取付けられた、常時は当該外側壁と重なって収納状態となる中間スライド側壁と、この中間スライド側壁に一端部が左右方向にスライド移動可能に取付けられ、他端部が前記一方の建物の通路と目地部を介して連通するように他方の建物に形成された通路に、前後方向にスライド移動可能に取付けられた、常時は前記中間スライド側壁が重なるように収納状態となる外部スライド側壁と、一端部が前記一方の建物の通路と左右方向にスライド移動可能に支持され、他端部が前記他方の建物の通路と前後方向にスライド移動可能に支持された目地プレートとで渡り通路の目地装置を構成している。【選択図】  図１
2005163417.tif 000002
【特許請求の範囲】
【請求項１】
一方の建物の外壁面より外方へ突出するように形成された通路の側端部に、左右方向の外方へ突出するように形成された外側壁と、この外側壁に左右方向にスライド移動可能に取付けられた、常時は当該外側壁と重なって収納状態となる中間スライド側壁と、この中間スライド側壁に一端部が左右方向にスライド移動可能に取付けられ、他端部が前記一方の建物の通路と目地部を介して連通するように他方の建物に形成された通路に、前後方向にスライド移動可能に取付けられた、常時は前記中間スライド側壁が重なるように収納状態となる外部スライド側壁と、前記一方の建物および他方の建物が左右方向に揺れ動いた場合に、前記中間スライド側壁を左右方向にスライド移動させることができるとともに、元に戻ると自動的に元の位置へ戻す中間スライド側壁の移動機構と、一端部が前記一方の建物の通路と左右方向にスライド移動可能に支持され、他端部が前記他方の建物の通路と前後方向にスライド移動可能に支持された目地プレートとからなることを特徴とする渡り通路の目地装置。
【請求項２】
一方の建物の外壁面より外方へ突出するように形成された通路の両側端部に、左右方向の外方へ突出するように形成された一対の外側壁と、この一対の外側壁にそれぞれ左右方向にスライド移動可能に取付けられた、常時は当該外側壁と重なって収納状態となる中間スライド側壁と、この中間スライド側壁に一端部が左右方向にスライド移動可能に取付けられ、他端部が前記一方の建物の通路と目地部を介して連通するように他方の建物に形成された通路に、前後方向にスライド移動可能に取付けられた、常時は前記中間スライド側壁が重なるように収納状態となる外部スライド側壁と、前記一方の建物および他方の建物が左右方向に揺れ動いた場合に、前記中間スライド側壁を左右方向にスライド移動させることができるとともに、元に戻ると自動的に元の位置へ戻す中間スライド側壁の移動機構と、一端部が前記一方の建物の通路と左右方向にスライド移動可能に支持され、他端部が前記他方の建物の通路と前後方向にスライド移動可能に支持された目地プレートとからなることを特徴とする渡り通路の目地装置。
【発明の詳細な説明】
【技術分野】
【０００１】
本発明は、隣り合う建物を連通する渡り通路の目地部を覆う渡り通路の目地装置に関する。
【背景技術】
【０００２】
従来、渡り通路の目地装置は、一方の建物の外壁に形成された渡り通路用開口部に左右方向にスライド移動可能となるように取付けられたスライド側壁と、前記渡り通路用開口部と目地部を介して連通する他方の建物の通路との間にスライド移動可能に設けられた目地プレートとを備えて構成されている。
【０００３】
従来の渡り通路の目地装置では、スライド側壁が渡り通路用開口部の左右方向に延設された構造となるため、このスライド側壁を一方の建物の外壁面より外方へ突出するように形成された通路の側端部に用いると、当該スライド側壁が、例えば、左右方向に６００ミリ、８００ミリ等、大きい移動距離を許容するように設計した場合は、このスライド側壁が必要以上に外方に突出した設置景観となるため、外観上の美観を著しく損なうという欠点があった。また、このような美観面を考慮して、前記スライド側壁の左右幅寸法を小さくなるように設計すると、地震等の揺れに伴う左右方向の大きな揺れに対応できないという欠点があった。
【特許文献１】特許第２９０６３７４号
【発明の開示】
【発明が解決しようとする課題】
【０００４】
本発明は以上のような従来の欠点に鑑み、地震等によって一方の建物および他方の建物が左右方向に大きく揺れ動いても、その揺れ動きに効果的に追従することができるとともに、一方の建物の外壁面より外方へ突出するように形成された通路と、この通路に目地部を介して連通する他方の建物の通路との間に施工しても、施工箇所の外観上の美観が損なわれない渡り通路の目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、一方の建物の外壁面より外方へ突出するように形成された通路の側端部に、左右方向の外方へ突出するように形成された外側壁と、この外側壁に左右方向にスライド移動可能に取付けられた、常時は当該外側壁と重なって収納状態となる中間スライド側壁と、この中間スライド側壁に一端部が左右方向にスライド移動可能に取付けられ、他端部が前記一方の建物の通路と目地部を介して連通するように他方の建物に形成された通路に、前後方向にスライド移動可能に取付けられた、常時は前記中間スライド側壁が重なるように収納状態となる外部スライド側壁と、前記一方の建物および他方の建物が左右方向に揺れ動いた場合に、前記中間スライド側壁を左右方向にスライド移動させることができるとともに、元に戻ると自動的に元の位置へ戻す中間スライド側壁の移動機構と、一端部が前記一方の建物の通路と左右方向にスライド移動可能に支持され、他端部が前記他方の建物の通路と前後方向にスライド移動可能に支持された目地プレートとで渡り通路の目地装置を構成している。
【発明の効果】
【０００７】
以上の説明から明らかなように、本発明にあっては次に列挙する効果が得られる。
【０００８】
（１）一方の建物の外壁面より外方へ突出するように形成された通路の側端部に、左右方向の外方へ突出するように形成された外側壁と、この外側壁に左右方向にスライド移動可能に取付けられた、常時は当該外側壁と重なって収納状態となる中間スライド側壁と、この中間スライド側壁に一端部が左右方向にスライド移動可能に取付けられ、他端部が前記一方の建物の通路と目地部を介して連通するように他方の建物に形成された通路に、前後方向にスライド移動可能に取付けられた、常時は前記中間スライド側壁が重なるように収納状態となる外部スライド側壁と、前記一方の建物および他方の建物が左右方向に揺れ動いた場合に、前記中間スライド側壁を左右方向にスライド移動させることができるとともに、元に戻ると自動的に元の位置へ戻す中間スライド側壁の移動機構と、一端部が前記一方の建物の通路と左右方向にスライド移動可能に支持され、他端部が前記他方の建物の通路と前後方向にスライド移動可能に支持された目地プレートとで構成されているので、地震等によって一方の建物および他方の建物が異なる前後左右方向に揺れ動いた場合には、前記中間スライド側壁および外部スライド側壁がその動きに追従して移動し、その揺れ動きを吸収することができる。
したがって、目地プレートや中間スライド側壁、外部スライド側壁が損傷するのを防止することができ、安全に長期間使用することができる。
【０００９】
（２）前記（１）によって、中間スライド側壁は、常時は外側壁および外部スライド側壁間に重なった収納状態となるので、常時の設置状態をコンパクト化することができる。
したがって、一方の建物の外壁面より外方へ突出するように形成された通路とこれに連通する他方の建物の通路間に施工しても、施工箇所の外観上の美観が損なわれることなく用いることができる。
【００１０】
（３）前記（１）によって、中間スライド側壁を外側壁に左右方向にスライド移動可能に取付け、この中間スライド側壁に外部スライド側壁を左右方向に移動可能に取付けているので、構造が簡単で、大きな左右方向の揺れ動きに追従することができる。
【００１１】
（４）前記（１）によって、構造が簡単で、スムーズに作動させることができるとともに、容易に設置することができる。
【００１２】
（５）請求項２も前記（１）〜（４）と同様の効果が得られる。
【発明を実施するための最良の形態】
【００１３】
以下、図面に示す本発明を実施するための最良の形態により、本発明を詳細に説明する。
【００１４】
図１ないし図１２に示す本発明を実施するための最良の第１の形態において、１は、一方の建物２の外壁面より外方へ突出するように形成された通路３と、この通路３に目地部４を介して連通するように他方の建物５に形成された通路６とを連通する本発明の渡り通路の目地装置で、この渡り通路の目地装置１は、前記一方の建物２の通路３の両側端部に、左右方向の外方へ突出するように形成された一対の外側壁７、７と、この一対の外側壁７、７にそれぞれ左右方向にスライド移動可能に取付けられた、常時は当該外側壁７と重なって収納状態となる中間スライド側壁８、８と、この中間スライド側壁８に一端部が左右方向にスライド移動可能に取付けられ、他端部が前記他方の建物５に形成された通路６に、前後方向にスライド移動可能に取付けられた、常時は前記中間スライド側壁８が重なるように収納状態となる外部スライド側壁９、９と、前記一方の建物２および他方の建物５が左右方向に揺れ動いた場合に、前記中間スライド側壁８を左右方向にスライド移動させることができるとともに、元に戻ると自動的に元の位置へ戻す中間スライド側壁の移動機構１０と、一端部が前記一方の建物２の通路３と左右方向にスライド移動可能に支持され、他端部が前記他方の建物５の通路６と前後方向にスライド移動可能に支持された目地プレート１１とで構成されている。
【００１５】
前記外側壁７は、図４に示すように、ステンレス合金等によって略平坦ボックス状に形成された外側壁本体１２と、この外側壁本体１２の内方側端部に一体形成された、前記一方の建物２の通路３の側壁内方部に複数のビス１３で固定するための取付け用フランジ１４と、前記外側壁本体１２の上面および前記一方の建物２の通路３の側壁上面に複数のビス１３で固定される略三角形状の固定用化粧板１５と、前記外側壁本体１２の前記他方の建物５側となる面の上下部寄りの部位に左右方向に延設されるようにそれぞれ固定された略Ｊ字状のスライドレール１６、１７と、前記外側壁本体１２の前記他方の建物６側の面の略中央部に形成された、引戻しワイヤーガイド溝１８とで構成されている。
【００１６】
前記中間スライド側壁８は、図５に示すように、前記外側壁７と略同じ幅寸法、高さ寸法および厚み寸法となるように形成され、下面には前記外側壁７の下部スライドレール１７の先端部が挿入されて左右方向にスライド移動可能に取付けられる下部スライドガイド溝１９が形成されるとともに、上部寄りの部位の前記外側壁７側となる面には、前記外側壁７の上部スライドレール１６の先端部が挿入されてスライド移動可能に取付けられる上部スライドガイド溝２０が形成されている。
【００１７】
前記外部スライド側壁９は、図６に示すように、前記外側壁７および中間スライド側壁８と略同じ幅寸法および高さ寸法となるように形成された、上端部に前記中間スライド側壁８の上面および上部スライドガイド溝２０形成部位を除く上方の面を覆って、前記中間スライド側壁８にスライド移動可能に取付けられるスライドカバー２１が一体形成された左右方向のスライド側壁２２と、この左右方向のスライド側壁２２の前記他方の建物５側の部位より前後方向に突出するように一体形成された前後方向のスライド側壁２３と、この前後方向のスライド側壁２３および前記左右方向のスライド側壁２２のスライドカバー２１の一部上面を覆うように取付けられた、前記外側壁７の固定用化粧板１５と略同じ形状の化粧板２４とで構成されている。
【００１８】
前記中間スライド側壁の移動機構１０は、図２、図５、図６、図７等に示すように、前記中間スライド側壁８の上面に略対角線状に配設されて固定された引掛け用金具２５、２５と、地震等によって一方の建物２および他方の建物５が異なる左右方向に揺れ動いた場合に前記引掛け用金具２５、２５に衝止して、当該中間スライド側壁８を突出状態あるいは収納状態に移動させることができる、前記外部スライド側壁９のスライドカバー２１の内面に固定された受け金具２６、２６と、一端が前記外側壁７内に常時収縮方向に付勢力が働く付勢スプリング２７を介して固定され、他端が当該外側壁７内に取付けられたガイドローラ２８、２８にガイドされて前記引戻しワイヤーガイド溝１８の略中央部より外方に突出され、前記中央スライド側壁８に固定された引戻しワイヤー２９とで構成されている。
【００１９】
前記目地プレート１１は、一端部底面に左右方向に移動できるローラ３０、３０が取付けられ、前記一方の建物２の目地部４側の床部外側壁に左右方向に延設された下地レール３１に沿って移動できるように取付けられるとともに、他端部は前記他方の建物５の通路６の目地部４側の床面上に位置されて、前後方向にスライド移動できる長さ寸法に形成されて支持されている。
【００２０】
上記構成の渡り通路の目地装置１は、常時は図１および図２に示すように、中間スライド側壁８が、外側壁７および外部スライド側壁９の左右方向のスライド側壁２２に重なった収納状態となる設置状態になっている。
地震等によって一方の建物２および他方の建物５が異なる左右方向に小さく揺れ動いた場合は、図９に示すように、中間スライド側壁８は、引戻しワイヤー２９によって、常時収納方向に引張られるように作用しているので、外部スライド側壁９が左右方向にスライド移動するように作用する。
【００２１】
地震等によって一方の建物２および他方の建物５が異なる左右方向に大きく揺れ動いた場合は、図１０に示すように、外部スライド側壁９に固定された受け金具２６が、中間スライド側壁８の上面に固定された引掛け用金具２５に衝止して、この状態で外部スライド側壁９が左右方向に更に移動すると、当該外部スライド側壁９の動きに追従するように中間スライド側壁８が移動する。
【００２２】
このように、前記外部スライド側壁９および中間スライド側壁８が外側壁７に対して左右方向にスライド移動するように作用した後に、さらに外部スライド側壁９が収納状態となる方向にスライド移動した場合は、中間スライド側壁８の引掛け用金具２５と外部スライド側壁９の受け金具２６との衝止状態が解除されるが、前記中間スライド側壁８は引張された付勢スプリング２７の収縮作用に伴い、引戻しワイヤー２９によって、外側壁７方向にスムーズにスライド移動される。
【００２３】
以上の中間スライド側壁８および外部スライド側壁９の、左右方向のスライド移動の場合、前記目地プレート１１は、一端部底面に取付けられたローラ３０が、前記一方の建物２の通路３に延設された下地レール３１上をスライド移動するので、その揺れ動きを吸収することができる。  
【００２４】
地震等によって一方の建物２および他方の建物５が異なる前後方向に揺れ動いた場合は、図１２および図１３に示すように、外部スライド側壁９の端部側および前記目地プレート１１が、他方の建物５の通路６内を前後方向にスライド移動するので、その揺れ動きを吸収することができる。
{発明を実施するための異なる形態}
【００２５】
次に、図１３ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２６】
図１３ないし図１６に示す本発明を実施するための第２の形態において、前記本発明を実施するための最良の第１の形態と主に異なる点は、引戻しワイヤーガイド溝１８を形成しない外側壁７Ａを用いるとともに、この外側壁７Ａ側の面の略中央部に引戻しワイヤーガイド溝１８が形成された平坦なボックス状の中間スライド側壁８Ａを用いて、当該中間スライド側壁８Ａ内に引戻しワイヤー２９の一端部が固定されるように構成し、他端部を当該中間スライド側壁８Ａの外方に突出させて、前記外側壁７Ａの略中央部に固定した点で、このような引戻しワイヤー２９の取付け態様となる中間スライド側壁の移動機構１０Ａ、外側壁７Ａおよび中間スライド側壁８Ａを構成した渡り通路の目地装置１Ａにしても前記本発明を実施するための最良の第１の形態と同様の作用効果が得られる。
【００２７】
図１７ないし図１９に示す本発明を実施するための第３の形態において、前記本発明を実施するための最良の第１の形態と主に異なる点は、引戻しワイヤーガイド溝１８が中間スライド側壁８側の略中央部の面に形成された平坦なボックス状の左右方向のスライド側壁２２Ａを用い、この左右方向のスライド側壁２２Ａ内に引戻しワイヤー２９の一端部が固定されるように構成するとともに、他端部を当該左右方向のスライド側壁２２Ａの外方に突出させて、前記中間スライド側壁８に固定した点で、このような左右方向のスライド側壁２２Ａを備えた外部スライド側壁９Ａおよび前記引戻しワイヤー２９の取付け態様となる中間スライド側壁の移動機構１０Ｂとを構成した渡り通路の目地装置１Ｂにしても前記本発明を実施するための最良の第１の形態と同様の作用効果が得られる。
【００２８】
図２０ないし図２３に示す本発明を実施するための第４の形態において、前記本発明を実施するための最良の第１の形態と主に異なる点は、上部のスライドレール１６Ａ上に左右方向に移動させるための複数のローラ３２が取付けられた外側壁７Ｂを用いるとともに、この外側壁７Ｂの上部のスライドレール１６Ａの複数のローラ３２上を左右方向にスライド移動可能となるように取付けられ、先端部２２ａが中間スライド側壁８に線接触するように形成した左右方向のスライド側壁２２Ｂを用いた点で、このような左右方向のスライド側壁２２Ｂを備えた外部スライド側壁９Ｂおよび外側壁７Ｂを構成した渡り通路の目地装置１Ｃにしても前記本発明を実施するための最良の第１の形態と同様の作用効果が得られる。
【００２９】
なお、前記本発明を実施するための各形態において、渡り通路の目地装置１（１Ａ、１Ｂ、１Ｃ）は、一方の建物２の外壁面より外方へ突出するように形成された通路３の両側端部に一対の外側壁７（７Ａ、７Ｂ）を配設し、この一対の外側壁７（７Ａ、７Ｂ）、７（７Ａ、７Ｂ）にそれぞれ中間スライド側壁８（８Ａ）および外部スライド側壁９（９Ａ、９Ｂ）を配設するように構成したものについて説明したが、本発明はこれに限らず、一方の建物２の外壁面より外方へ突出するように形成された通路３の一方の側端部に外側壁７（７Ａ、７Ｂ）を配設し、この外側壁７（７Ａ、７Ｂ）に中間スライド側壁８（８Ａ）および外部スライド側壁９（９Ａ、９Ｂ）を配設するとともに、前記一方の建物２の通路３の他方の側端部に、例えば、手摺装置等を取付けるようにして複合的に装置を構成してもよい。
【００３０】
また、前記本発明を実施するための各形態において、外側壁７（７Ａ、７Ｂ）と外部スライド側壁９（９Ａ、９Ｂ）との間に、一つの中間スライド側壁８（８Ａ）を介在させたものについて説明したが、本発明はこれに限らず、外側壁７（７Ａ、７Ｂ）と外部スライド側壁９（９Ａ、９Ｂ）との間に、複数の中間スライド側壁８（８Ａ）を介在させるように構成してもよい。この場合、外側壁７（７Ａ、７Ｂ）や、複数の中間スライド側壁８（８Ａ）および左右方向のスライド側壁２２（２２Ａ、２２Ｂ）の左右方向の幅寸法を小さく設計することができる。
【産業上の利用可能性】
【００３１】
本発明は渡り通路の目地装置を生産する産業で利用される。
【図面の簡単な説明】
【００３２】
【図１】本発明を実施するための最良の第１の形態の平面図。
【図２】図１の２−２線に沿う拡大断面図。
【図３】図１の３−３線に沿う拡大断面図。
【図４】本発明を実施するための最良の第１の形態の外側壁の説明図。
【図５】本発明を実施するための最良の第１の形態の中間スライド側壁の説明図。
【図６】本発明を実施するための最良の第１の形態の外部スライド側壁の説明図。
【図７】本発明を実施するための最良の第１の形態の引戻しワイヤーの取付け状態を示した説明図。
【図８】本発明を実施するための最良の第１の形態の目地プレートの説明図。
【図９】本発明を実施するための最良の第１の形態の左右方向に小さく揺れ動いた状態の説明図。
【図１０】本発明を実施するための最良の第１の形態の左右方向に大きく揺れ動いた状態の説明図。
【図１１】本発明を実施するための最良の第１の形態の目地部が広くなる方向（前後方向）に揺れ動いた状態の説明図。
【図１２】本発明を実施するための最良の第１の形態の目地部が狭くなる方向（前後方向）に揺れ動いた状態の説明図。
【図１３】本発明を実施するための第２の形態の平面図。
【図１４】図１３の１４−１４線に沿う拡大断面図。
【図１５】本発明を実施するための第２の形態の外側壁の説明図。
【図１６】本発明を実施するための第２の形態の中間スライド側壁の説明図。
【図１７】本発明を実施するための第３の形態の平面図。
【図１８】図１７の１８−１８線に沿う拡大断面図。
【図１９】本発明を実施するための第３の形態の外部スライド側壁の説明図。
【図２０】本発明を実施するための第４の形態の平面図。
【図２１】図２０の２１−２１線に沿う拡大断面図。
【図２２】本発明を実施するための第４の形態の外側壁の説明図。
【図２３】本発明を実施するための第４の形態の外部スライド側壁の説明図。
【符号の説明】
【００３３】
１、１Ａ〜１Ｃ：渡り通路の目地装置、
２：一方の建物、                ３：通路、
４：目地部、                    ５：他方の建物、
６：通路、                      ７、７Ａ、７Ｂ：外側壁、
８、８Ａ：中間スライド側壁、    ９、９Ａ、９Ｂ：外部スライド側壁、
１０、１０Ａ、１０Ｂ：中間スライド側壁の移動機構、
１１：目地プレート、            １２：外側壁本体、
１３：ビス、                    １４：取付け用フランジ、
１５：固定用化粧板、            １６、１６Ａ：上部のスライドレール、
１７：下部のスライドレール、    １８：引戻しワイヤーガイド溝、
１９：下部スライドガイド溝、    ２０：上部スライドガイド溝、
２１：スライドカバー、
２２、２２Ａ、２２Ｂ：左右方向のスライド側壁、
２３：前後方向のスライド側壁、  ２４：化粧板、
２５：引掛け用金具、            ２６：受け金具、
２７：付勢スプリング、          ２８：ガイドローラ、
２９：引戻しワイヤー、          ３０：ローラ、
３１：下地レール、              ３２：ローラ。
【図１】
2005163417.tif 000003
【図２】
2005163417.tif 000004
【図３】
2005163417.tif 000005
【図４】
2005163417.tif 000006
【図５】
2005163417.tif 000007
【図６】
2005163417.tif 000008
【図７】
2005163417.tif 000009
【図８】
2005163417.tif 000010
【図９】
2005163417.tif 000011
【図１０】
2005163417.tif 000012
【図１１】
2005163417.tif 000013
【図１２】
2005163417.tif 000014
【図１３】
2005163417.tif 000015
【図１４】
2005163417.tif 000016
【図１５】
2005163417.tif 000017
【図１６】
2005163417.tif 000018
【図１７】
2005163417.tif 000019
【図１８】
2005163417.tif 000020
【図１９】
2005163417.tif 000021
【図２０】
2005163417.tif 000022
【図２１】
2005163417.tif 000023
【図２２】
2005163417.tif 000024
【図２３】
2005163417.tif 000025